(57)【特許請求の範囲】
【請求項１】
タイマのタイミングインターバルが予めセットされた閾値と等しい場合に、第２のデバイスによって起動されるデバイスである第１のデバイスによって、前記第２のデバイスが無線信号を送信するかどうかを検出するステップと、
前記無線信号が検出される場合に、前記第１のデバイスによって、該第１のデバイスが起動に成功したことを前記第２のデバイスに知らせるために使用される第１のメッセージを前記第２のデバイスへ送信して、該第２のデバイスが前記第１のメッセージを受信した後にステーションモードへ切り替わるようにするステップと、
前記第１のデバイスによって、アクセスポイントモードへ切り替わり、前記第２のデバイスが前記第１のデバイスを介するＷｉ−Ｆｉアクセスを実施するようにするステップと、
前記無線信号が検出されない場合に、前記第１のデバイスによって、前記Ｗｉ−Ｆｉアクセスを無効にし、前記タイマを再起動するステップと
を有し、
前記第１のメッセージはスイッチング時間を搬送し、前記第２のデバイスに前記スイッチング時間内に前記ステーションモードへ切り替わるよう指示する、
デバイス起動方法。
【請求項２】
前記無線信号が検出される場合に前記第１のデバイスによって第１のメッセージを前記第２のデバイスへ送信する前記ステップは、
前記無線信号が検出される場合は、前記第１のデバイスによって、前記ステーションモードへ切り替わるステップと、
前記第１のデバイスによって、前記第２のデバイスを介するＷｉ−Ｆｉアクセスを実施するステップと、
前記第１のデバイスによって、前記第１のメッセージを前記第２のデバイスへ送信するステップと
を有する、
請求項１に記載のデバイス起動方法。
【請求項３】
タイマのタイミングインターバルが予めセットされた閾値と等しい場合に、第１のデバイスによって、第２のデバイスが無線信号を送信するかどうかを検出する前記ステップの前に、当該デバイス起動方法は、前記第１のデバイスによって、前記第２のデバイスの、少なくともＷｉ−Ｆｉネットワーク識別子を含む起動情報を記憶するステップを更に有し、
前記第２のデバイスが無線信号を送信するかどうかを検出する前記ステップは具体的に、前記第１のデバイスによって前記起動情報に従って、前記第２のデバイスが前記無線信号を送信するかどうかを検出するステップを有する、
請求項１又は２に記載のデバイス起動方法。
【請求項４】
タイマのタイミングインターバルが予めセットされた閾値と等しい場合に、第２のデバイスによって起動されるデバイスである第１のデバイスによって、アクセスポイントモードに入るステップと、
前記第１のデバイスによって、前記第２のデバイスによって送信された起動パスワードが受信されるかどうかを検出するステップと、
前記起動パスワードが検出される場合に、前記第１のデバイスによって、該第１のデバイスが起動に成功したことを前記第２のデバイスに知らせるために使用される第１のメッセージを前記第２のデバイスへ送信して、該第２のデバイスが前記第１のメッセージを受信した後にステーションモードへ切り替わり、前記第２のデバイスが前記第１のデバイスを介するＷｉ−Ｆｉアクセスを実施するようにするステップと、
前記起動パスワードが検出されない場合に、前記第１のデバイスによって、前記Ｗｉ−Ｆｉアクセスを無効にし、前記タイマを再起動するステップと
を有し、
前記第１のメッセージはスイッチング時間を搬送し、前記第２のデバイスに前記スイッチング時間内に前記ステーションモードへ切り替わるよう指示する、
デバイス起動方法。
【請求項５】
前記起動パスワードが検出される場合に、前記第１のデバイスによって、第１のメッセージを前記第２のデバイスへ送信する前記ステップは、
前記起動パスワードが検出される場合に、前記第１のデバイスによって、前記起動パスワードに対応する前記第２のデバイスが、前記第１のデバイスを起動することができるデバイスの予め記憶されたリストにおいて存在するかどうかを検出するステップと、
前記起動パスワードに対応する前記第２のデバイスが、前記第１のデバイスを起動することができるデバイスの前記予め記憶されたリストにおいて存在する場合は、前記第２のデバイスへの前記第１のメッセージの送信を実行するステップと
を有する、請求項４に記載のデバイス起動方法。
【請求項６】
第２のデバイスによって起動される第１のデバイスによって、通信技術を用いることによって前記第２のデバイスによって送信された起動パスワードを受信するステップと、
前記第１のデバイスによって、該第１のデバイスが起動に成功したことを前記第２のデバイスに知らせるために使用される第１のメッセージを前記第２のデバイスへ送信して、該第２のデバイスが前記第１のメッセージを受信した後にステーションモードへ切り替わるようにするステップと、
前記第１のデバイスによって、アクセスポイントモードへ切り替わり、前記第２のデバイスが前記第１のデバイスを介するＷｉ−Ｆｉアクセスを実施するようにするステップと
を有し、
前記第１のメッセージはスイッチング時間を搬送し、前記第２のデバイスに前記スイッチング時間内に前記ステーションモードへ切り替わるよう指示する、
デバイス起動方法。
【請求項７】
前記第１のデバイスによって、通信技術を用いることによって前記第２のデバイスによって送信された起動パスワードを受信する前記ステップの後に、当該デバイス起動方法は、前記起動パスワードに対応する前記第２のデバイスが、前記第１のデバイスを起動することができるデバイスの予め記憶されたリストにおいて存在するかどうかを検出するステップを更に有する、
請求項６に記載のデバイス起動方法。
【請求項８】
前記第１のデバイスによって、第１のメッセージを前記第２のデバイスへ送信する前記ステップは、前記起動パスワードに対応する前記第２のデバイスが、前記第１のデバイスを起動することができるデバイスの前記予め記憶されたリストにおいて存在する場合に、前記第１のデバイスによって、前記第１のメッセージを前記第２のデバイスへ送信するステップを有する、
請求項７に記載のデバイス起動方法。
【請求項９】
第２のデバイスによって起動されるデバイスである第１のデバイスを起動するデバイス起動装置であって、
タイマのタイミングインターバルが予めセットされた閾値と等しい場合に、前記第２のデバイスが無線信号を送信するかどうかを検出するよう構成されるプロセッサと、
前記プロセッサが前記無線信号を検出する場合に、前記第１のデバイスが起動に成功したことを前記第２のデバイスに知らせるために使用される第１のメッセージを前記第２のデバイスへ送信して、該第２のデバイスが前記第１のメッセージを受信した後にステーションモードへ切り替わるようにするよう構成される送信器と
を有し、
前記プロセッサは更に、前記第１のデバイスをアクセスポイントモードへ切り替えて、前記第２のデバイスが前記第１のデバイスを介するＷｉ−Ｆｉアクセスを実施するようにするよう構成され、
前記第１のメッセージはスイッチング時間を搬送し、前記第２のデバイスに前記スイッチング時間内に前記ステーションモードへ切り替わるよう指示する、
デバイス起動装置。
【請求項１０】
前記プロセッサは更に、前記無線信号が検出される場合に前記第１のデバイスを前記ステーションモードへ切り替え、前記第２のデバイスを介するＷｉ−Ｆｉアクセスを実施するよう構成され、
前記送信器は更に、前記第１のメッセージを前記第２のデバイスへ送信するよう構成される、
請求項９に記載のデバイス起動装置。
【請求項１１】
前記プロセッサが、前記タイマのタイミングインターバルが前記予めセットされた閾値と等しい場合に、前記第２のデバイスが無線信号を送信するかどうかを検出する前に、前記第２のデバイスの、少なくともＷｉ−Ｆｉネットワーク識別子を含む起動情報を記憶するよう構成されるメモリを更に有し、
前記プロセッサは更に、前記メモリによって記憶された前記起動情報に従って、前記第２のデバイスが前記無線信号を送信するかどうかを検出するよう構成される、
請求項９又は１０に記載のデバイス起動装置。
【請求項１２】
第２のデバイスによって起動されるデバイスである第１のデバイスを起動するデバイス起動装置であって、
タイマのタイミングインターバルが予めセットされた閾値と等しい場合に前記第１のデバイスをアクセスポイントモードへ切り替え、前記第２のデバイスによって送信された起動パスワードが受信されるかどうかを検出するよう構成されるプロセッサと、
前記プロセッサが前記起動パスワードを検出する場合に、前記第１のデバイスが起動に成功したことを前記第２のデバイスに知らせるために使用される第１のメッセージを前記第２のデバイスへ送信して、該第２のデバイスが前記第１のメッセージを受信した後にステーションモードへ切り替わり、前記第２のデバイスが前記第１のデバイスを介するＷｉ−Ｆｉアクセスを実施するようにするよう構成される送信器と
を有し、
前記第１のメッセージはスイッチング時間を搬送し、前記第２のデバイスに前記スイッチング時間内に前記ステーションモードへ切り替わるよう指示する、
デバイス起動装置。
【請求項１３】
前記プロセッサは更に、前記起動パスワードが検出される場合に、前記起動パスワードに対応する前記第２のデバイスが、前記第１のデバイスを起動することができるデバイスの予め記憶されたリストにおいて存在するかどうかを検出するよう構成され、
前記送信器は更に、前記起動パスワードに対応する前記第２のデバイスが、前記第１のデバイスを起動することができるデバイスの前記予め記憶されたリストにおいて存在することが検出される場合に、前記第１のメッセージを前記第２のデバイスへ送信するよう構成される、
請求項１２に記載のデバイス起動装置。
【請求項１４】
第２のデバイスによって起動されるデバイスである第１のデバイスを起動するデバイス起動装置であって、
通信技術を用いることによって前記第２のデバイスによって送信された起動パスワードを受信するよう構成される受信器と、
前記第１のデバイスが起動に成功したことを前記第２のデバイスに知らせるために使用される第１のメッセージを前記第２のデバイスへ送信して、該第２のデバイスが前記第１のメッセージを受信した後にステーションモードへ切り替わるようにするよう構成される送信器と、
前記第１のデバイスをアクセスポイントモードへ切り替えて、前記第２のデバイスが前記第１のデバイスを介するＷｉ−Ｆｉアクセスを実施するようにするよう構成されるプロセッサと
を有し、
前記第１のメッセージはスイッチング時間を搬送し、前記第２のデバイスに前記スイッチング時間内に前記ステーションモードへ切り替わるよう指示する、
デバイス起動装置。
【請求項１５】
前記プロセッサは更に、前記受信器が、前記通信技術を用いることによって前記第２のデバイスによって送信された前記起動パスワードを受信した後に、前記起動パスワードに対応する前記第２のデバイスが、前記第１のデバイスを起動することができるデバイスの予め記憶されたリストにおいて存在するかどうかを検出するよう構成され、
前記送信器は更に、前記起動パスワードに対応する前記第２のデバイスが、前記第１のデバイスを起動することができるデバイスの前記予め記憶されたリストにおいて存在することを前記プロセッサが検出する場合に、前記第１のメッセージを前記第２のデバイスへ送信するよう構成される、
請求項１４に記載のデバイス起動装置。
【発明の詳細な説明】
【技術分野】
【０００１】
本発明は、通信の分野、特に、デバイスを起動する方法及び装置に関する。
【背景技術】
【０００２】
モバイル通信技術の発展とともに、Ｗｉ−Ｆｉ（wireless  fidelity）技術は、今日最も広く使用されている無線ネットワーク伝送技術となっている。ユーザは、Ｗｉ−Ｆｉネットワークへ接続するためにＷｉ−ＦｉカバレージエリアにおいてＷｉ−Ｆｉ対応のデバイスを使用しさえすればよく、それによりユーザは、瞬時にウェブページを検索し、電子メールを送受信すること等ができる。
【０００３】
現在、Ｗｉ−Ｆｉアクセスポイント（略してＡＰ）デバイスは、如何なる時点でもＷｉ−Ｆｉステーション（略してＳＴＡ）によってアクセスされてユーザによって都合良く使用され得るように、長時間動作し続ける必要がある。しかし、Ｗｉ−ＦｉＳＴＡが毎日２４時間通常のＷｉ−ＦｉＡＰデバイスにアクセスすることは不可能である。Ｗｉ−ＦｉＡＰデバイスは長時間アイドル状態にあり、これはネットワークリソースの浪費につながる。更に、バッテリにより駆動される携帯型のＷｉ−ＦｉＡＰデバイスがスタンバイ状態に入ることができない場合は、Ｗｉ−ＦｉＡＰデバイスは、自身がＷｉ−ＦｉＳＴＡによってアクセスされない場合にバッテリにより駆動され続ける。結果として、Ｗｉ−ＦｉＡＰデバイスのサービス時間は短縮され、バッテリの耐用期間も影響を及ぼされる。
【０００４】
先行技術における解決法は、次の通りである：Ｗｉ−ＦｉＡＰデバイスがＷｉ−ＦｉＳＴＡによってアクセスされない場合に、Ｗｉ−ＦｉＡＰデバイスは、一定時間経過後に自動的にスタンバイ状態に入る。ユーザがＷｉ−Ｆｉを使用し続ける必要がある場合は、ユーザは、Ｗｉ−ＦｉＡＰデバイスが使用可能な状態に再び入るように、キーを押すこと又は他の制御方法を用いることによってＷｉ−ＦｉＡＰデバイスを起動する必要がある。
【０００５】
先行技術では、Ｗｉ−ＦｉＡＰデバイスがスタンバイ状態に入った後、ユーザは、自身がＷｉ−Ｆｉを使用し続けることができる前に、キーを押すこと又は他の制御方法を用いることによってＷｉ−ＦｉＡＰデバイス起動する必要がある。従って、ユーザ経験は乏しい。従って、如何にして有効にＷｉ−ＦｉＡＰデバイスを起動すべきかが、この技術分野における重要なトピックとなっている。
【発明の概要】
【発明が解決しようとする課題】
【０００６】
本発明の実施形態は、デバイス起動プロセスにおけるユーザ経験を改善するデバイス起動方法及び装置を提供する。
【課題を解決するための手段】
【０００７】
本発明の第１の態様に従って、デバイス起動方法が提供され、当該デバイス起動方法は、
タイマのタイミングインターバルが予めセットされた閾値と等しい場合に、第２のデバイスによって起動されるデバイスである第１のデバイスによって、前記第２のデバイスが無線信号を送信するかどうかを検出するステップと、
前記無線信号が検出される場合に、前記第１のデバイスによって、該第１のデバイスが起動に成功したことを前記第２のデバイスに知らせるために使用される第１のメッセージを前記第２のデバイスへ送信して、該第２のデバイスが前記第１のメッセージを受信した後にステーションモードへ切り替わるようにするステップと、
前記第１のデバイスによって、アクセスポイントモードへ切り替わり、前記第２のデバイスが前記第１のデバイスを介するＷｉ−Ｆｉアクセスを実施するようにするステップと、
前記無線信号が検出されない場合に、前記第１のデバイスによって、前記Ｗｉ−Ｆｉアクセスを無効にし、前記タイマを再起動するステップと
を有する。
【０００８】
第１の態様を参照して、可能な実施形態において、前記無線信号が検出される場合に前記第１のデバイスによって第１のメッセージを前記第２のデバイスへ送信する前記ステップは、
前記無線信号が検出される場合は、前記第１のデバイスによって、前記ステーションモードへ切り替わるステップと、
前記第１のデバイスによって、前記第２のデバイスを介するＷｉ−Ｆｉアクセスを実施するステップと、
前記第１のデバイスによって、前記第１のメッセージを前記第２のデバイスへ送信するステップと
を有し、
前記第１のメッセージはスイッチング時間を搬送し、前記第２のデバイスに前記スイッチング時間内に前記ステーションモードへ切り替わるよう指示する。
【０００９】
第１の態様又は前述の可能な実施形態を参照して、他の可能な実施形態において、タイマのタイミングインターバルが予めセットされた閾値と等しい場合に、第１のデバイスによって、第２のデバイスが無線信号を送信するかどうかを検出する前記ステップの前に、当該デバイス起動方法は、前記第１のデバイスによって、前記第２のデバイスの、少なくともＷｉ−Ｆｉネットワーク識別子を含む起動情報を記憶するステップを更に有し、
前記第２のデバイスが無線信号を送信するかどうかを検出する前記ステップは具体的に、前記第１のデバイスによって前記起動情報に従って、前記第２のデバイスが前記無線信号を送信するかどうかを検出するステップを有する。
【００１０】
本発明の第２の態様に従って、デバイス起動方法が提供され、当該デバイス起動方法は、
タイマのタイミングインターバルが予めセットされた閾値と等しい場合に、第２のデバイスによって起動されるデバイスである第１のデバイスによって、アクセスポイントモードに入るステップと、
前記第１のデバイスによって、前記第２のデバイスによって送信された起動パスワードが受信されるかどうかを検出するステップと、
前記起動パスワードが検出される場合に、前記第１のデバイスによって、該第１のデバイスが起動に成功したことを前記第２のデバイスに知らせるために使用される第１のメッセージを前記第２のデバイスへ送信して、該第２のデバイスが前記第１のメッセージを受信した後にステーションモードへ切り替わり、前記第２のデバイスが前記第１のデバイスを介するＷｉ−Ｆｉアクセスを実施するようにするステップと、
前記起動パスワードが検出されない場合に、前記第１のデバイスによって、前記Ｗｉ−Ｆｉアクセスを無効にし、前記タイマを再起動するステップと
を有する。
【００１１】
第２の態様を参照して、可能な実施形態において、前記起動パスワードが検出される場合に、前記第１のデバイスによって、第１のメッセージを前記第２のデバイスへ送信する前記ステップは、
前記起動パスワードが検出される場合に、前記第１のデバイスによって、前記起動パスワードに対応する前記第２のデバイスが、前記第１のデバイスを起動することができるデバイスの予め記憶されたリストにおいて存在するかどうかを検出するステップと、
前記起動パスワードに対応する前記第２のデバイスが、前記第１のデバイスを起動することができるデバイスの前記予め記憶されたリストにおいて存在する場合は、前記第２のデバイスへの前記第１のメッセージの送信を実行するステップと
を有する。
【００１２】
本発明の第３の態様に従って、デバイス起動方法が提供され、当該デバイス起動方法は、
第２のデバイスによって起動される第１のデバイスによって、通信技術を用いることによって前記第２のデバイスによって送信された起動パスワードを受信するステップと、
前記第１のデバイスによって、該第１のデバイスが起動に成功したことを前記第２のデバイスに知らせるために使用される第１のメッセージを前記第２のデバイスへ送信して、該第２のデバイスが前記第１のメッセージを受信した後にステーションモードへ切り替わるようにするステップと、
前記第１のデバイスによって、アクセスポイントモードへ切り替わり、前記第２のデバイスが前記第１のデバイスを介するＷｉ−Ｆｉアクセスを実施するようにするステップと
を有する。
【００１３】
第３の態様を参照して、可能な実施形態において、前記第１のデバイスによって、通信技術を用いることによって前記第２のデバイスによって送信された起動パスワードを受信する前記ステップの後に、当該デバイス起動方法は、前記起動パスワードに対応する前記第２のデバイスが、前記第１のデバイスを起動することができるデバイスの予め記憶されたリストにおいて存在するかどうかを検出するステップを更に有する。
【００１４】
第３の態様又は前述の可能な実施形態を参照して、他の可能な実施形態において、前記第１のデバイスによって、第１のメッセージを前記第２のデバイスへ送信する前記ステップは、前記起動パスワードに対応する前記第２のデバイスが、前記第１のデバイスを起動することができるデバイスの前記予め記憶されたリストにおいて存在する場合に、前記第１のデバイスによって、前記第１のメッセージを前記第２のデバイスへ送信するステップを有する。
【００１５】
本発明の第４の態様に従って、デバイス起動装置が提供され、当該デバイス起動装置は、
タイマのタイミングインターバルが予めセットされた閾値と等しい場合に、第１のデバイスを起動する第２のデバイスが無線信号を送信するかどうかを検出するよう構成される検出ユニットと、
前記検出ユニットが前記無線信号を検出する場合に、前記第１のデバイスが起動に成功したことを前記第２のデバイスに知らせるために使用される第１のメッセージを前記第２のデバイスへ送信して、該第２のデバイスが前記第１のメッセージを受信した後にステーションモードへ切り替わるようにするよう構成される送信ユニットと、
アクセスポイントモードへ切り替えて、前記第２のデバイスが前記第１のデバイスを介するＷｉ−Ｆｉアクセスを実施するようにするよう構成される切り替えユニットと、
前記検出ユニットが前記無線信号を検出しない場合に前記Ｗｉ−Ｆｉアクセスを無効にし、前記タイマを再起動する処理ユニットと
を有する。
【００１６】
第４の態様を参照して、可能な実施形態において、前記送信ユニットは、
前記検出ユニットが前記無線信号を検出する場合は前記ステーションモードへ切り替えるよう構成される切り替えモジュールと、
前記第２のデバイスを介するＷｉ−Ｆｉアクセスを実施するよう構成されるアクセスモジュールと、
前記第１のメッセージを前記第２のデバイスへ送信するよう構成される送信モジュールと
を有し、
前記第１のメッセージはスイッチング時間を搬送し、前記第２のデバイスに前記スイッチング時間内に前記ステーションモードへ切り替わるよう指示する。
【００１７】
第４の態様又は前述の可能な実施形態を参照して、他の可能な実施形態において、当該デバイス起動装置は、前記検出ユニットが、前記タイマのタイミングインターバルが前記予めセットされた閾値と等しい場合に、前記第２のデバイスが無線信号を送信するかどうかを検出する前に、前記第２のデバイスの、少なくともＷｉ−Ｆｉネットワーク識別子を含む起動情報を記憶するよう構成される記憶ユニットを更に有し、
前記検出ユニットは、前記記憶ユニットによって記憶された前記起動情報に従って、前記第２のデバイスが前記無線信号を送信するかどうかを検出するよう構成される検出モジュールを有する。
【００１８】
本発明の第５の態様に従って、デバイス起動装置が提供され、当該デバイス起動装置は、
タイマのタイミングインターバルが予めセットされた閾値と等しい場合に、アクセスポイントモードに入るよう構成される入場ユニットと、
第１のデバイスを起動する第２のデバイスによって送信された起動パスワードが受信されるかどうかを検出するよう構成される検出ユニットと、
前記検出ユニットが前記起動パスワードを検出する場合に、前記第１のデバイスが起動に成功したことを前記第２のデバイスに知らせるために使用される第１のメッセージを前記第２のデバイスへ送信して、該第２のデバイスが前記第１のメッセージを受信した後にステーションモードへ切り替わり、前記第２のデバイスが前記第１のデバイスを介するＷｉ−Ｆｉアクセスを実施するようにするよう構成される送信ユニットと、
前記検出ユニットが前記起動パスワードを検出しない場合に前記Ｗｉ−Ｆｉアクセスを無効にし、前記タイマを再起動するよう構成される処理ユニットと
を有する。
【００１９】
第５の態様を参照して、可能な実施形態において、前記送信ユニットは、
前記検出ユニットが前記起動パスワードを検出する場合に、前記起動パスワードに対応する前記第２のデバイスが、前記第１のデバイスを起動することができるデバイスの予め記憶されたリストにおいて存在するかどうかを検出するよう構成される検出モジュールと、
前記起動パスワードに対応する前記第２のデバイスが、前記第１のデバイスを起動することができるデバイスの前記予め記憶されたリストにおいて存在することを前記検出モジュールが検出する場合に、前記第１のメッセージを前記第２のデバイスへ送信するよう構成される送信モジュールと
を有する。
【００２０】
本発明の第６の態様に従って、デバイス起動装置が提供され、当該デバイス起動装置は、
第１のデバイスが第２のデバイスによって起動されるデバイスである通信技術を用いることによって、前記第２のデバイスによって送信された起動パスワードを受信するよう構成される受信ユニットと、
前記第１のデバイスが起動に成功したことを前記第２のデバイスに知らせるために使用される第１のメッセージを前記第２のデバイスへ送信して、該第２のデバイスが前記第１のメッセージを受信した後にステーションモードへ切り替わるようにするよう構成される送信ユニットと、
アクセスポイントモードへ切り替えて、前記第２のデバイスが前記第１のデバイスを介するＷｉ−Ｆｉアクセスを実施するようにするよう構成される切り替えユニットと
を有する。
【００２１】
第６の態様を参照して、可能な実施形態において、当該デバイス起動装置は、前記受信ユニットが、前記通信技術を用いることによって前記第２のデバイスによって送信された前記起動パスワードを受信した後に、前記起動パスワードに対応する前記第２のデバイスが、前記第１のデバイスを起動することができるデバイスの予め記憶されたリストにおいて存在するかどうかを検出するよう構成される検出ユニットを更に有する。
【００２２】
第６の態様又は前述の可能な実施形態を参照して、他の可能な実施形態において、前記送信ユニットは、前記起動パスワードに対応する前記第２のデバイスが、前記第１のデバイスを起動することができるデバイスの前記予め記憶されたリストにおいて存在することを前記検出ユニットが検出する場合に、前記第１のメッセージを前記第２のデバイスへ送信するよう構成される送信モジュールを有する。
【００２３】
本発明の実施形態に従うデバイス起動方法及び装置によれば、タイマのタイミングインターバルは予めセットされた閾値に等しく、第１のデバイスが第２のデバイスによって送信される無線信号を検出する場合に、第１のデバイスは、第２のデバイスにステーションモードへ切り替わるよう指示するために使用される第１のメッセージを第２のデバイスへ送信し、この場合に、第１のデバイスは起動され、すなわち、第１のデバイスはＡＰモードへ切り替わり、それにより第２のデバイスは第１のデバイスを開始するＷｉ−Ｆｉアクセスを実施することができる。第１のデバイスは、第２のデバイスの無線信号が検出される場合にＡＰモードへ切り替わる。これは、デバイス起動プロセスにおけるユーザ経験を改善する。加えて、第１のデバイスは、第２のデバイスの無線信号が検出されない場合にスタンバイモードに入る。これは、第１のデバイスの電力消費を効果的に削減し、且つ、バッテリのスタンバイ時間及び耐用期間を延ばす。
【００２４】
本発明の実施形態における又は先行技術における技術的解決法をより明らかに記載するよう、以下は、実施形態又は先行技術を記載するために必要とされる添付の図面を簡単に紹介する。明らかに、以下の記載における添付の図面は、単に本発明の一部の実施形態を示し、当業者であれば、創造的な活動なしにそれらの添付の図面から他の図面を導き出すであろう。
【図面の簡単な説明】
【００２５】
【図１】本発明の実施形態に従うデバイス起動方法の略フローチャートである。
【図２】本発明の実施形態に従う他のデバイス起動方法の略フローチャートである。
【図３】本発明の実施形態に従う他のデバイス起動方法の略フローチャートである。
【図４】本発明の実施形態に従う他のデバイス起動方法の略フローチャートである。
【図５】本発明の実施形態に従うデバイス起動装置の略構造図である。
【図６】本発明の実施形態に従う他のデバイス起動装置の構成の略構造図である。
【図７】本発明の実施形態に従う他のデバイス起動装置の構成の略構造図である。
【図８】本発明の実施形態に従う他のデバイス起動装置の構成の略構造図である。
【図９】本発明の実施形態に従う他のデバイス起動装置の構成の略構造図である。
【図１０】本発明の実施形態に従う他のデバイス起動装置の構成の略構造図である。
【図１１】本発明の実施形態に従う他のデバイス起動装置の構成の略構造図である。
【図１２】本発明の実施形態に従う他のデバイス起動装置の構成の略構造図である。
【図１３】本発明の実施形態に従う他のデバイス起動装置の構成の略構造図である。
【発明を実施するための形態】
【００２６】
以下は、明確に且つ完全に、本発明の実施形態における添付の図面を参照して、本発明の実施形態における技術的解決法を記載する。明らかに、記載される実施形態は、本発明の全ての実施形態ではなく一部に過ぎない。創造的な活動なしに本発明の実施形態に基づき当業者によって得られる全ての他の実施形態は、本発明の技術的範囲内にあるべきである。
【００２７】
本発明の実施形態は、デバイスを起動する方法を提供する。図１に示されるように、方法は、次のステップ１０１〜１０４を有する：
１０１．タイマのタイミングインターバルが予めセットされた閾値と等しい場合に、第１のデバイスは、第２のデバイスが無線信号を送信するかどうかを検出する。
【００２８】
第１のデバイスは、第２のデバイスによって起動され得るデバイスである。具体的に、予めセットされた時間内に第１のデバイスにアクセスするデバイスがない場合に、第１のデバイスはＷｉ−Ｆｉを無効化し、スタンバイモードに入る。この場合に、第１のデバイスはタイマを起動し、タイマのタイミングインターバルが予めセットされた閾値に等しい場合に、第２のデバイスが無線信号を送信するかどうかを検出してよい。第２のデバイスが第１のデバイスを介したＷｉ−Ｆｉアクセスを実施する必要がある場合に、第２のデバイスはＡＰモードへ切り替わってよい。この場合に、第２のデバイスは無線信号を送信してよい。
【００２９】
１０２．無線信号が検出される場合に、第１のデバイスは、第１のメッセージを第２のデバイスへ送信して、第２のデバイスが第１のメッセージを受信した後にＳＴＡモードへ切り替わるようにする。
【００３０】
第１のデバイスが第２のデバイスの無線信号を検出する場合に、第１のデバイスは、第２のデバイスが第１のデバイスを介したＷｉ−Ｆｉアクセスを実施する必要があると知る。この場合に、第１のデバイスは、第１のメッセージを第２のデバイスへ送信する。第１のメッセージは、第１のデバイスが起動に成功したことを第２のデバイスに知らせるために使用される。第２のデバイスが第１のメッセージを受信する場合に、第２のデバイスはＳＴＡモードへ切り替わり、更にＷｉ−Ｆｉアクセスの準備をする。
【００３１】
１０３．第１のデバイスは、ＡＰモードへ切り替わり、それにより、第２のデバイスは、第１のデバイスを介するＷｉ−Ｆｉアクセスを実施する。
【００３２】
第１のデバイスはまた、第１のメッセージを第２のデバイスへ送信した後にＡＰモードへ切り替わってよく、それにより、第２のデバイスは、第１のデバイスを介したＷｉ−Ｆｉアクセスを実施する。
【００３３】
１０４．無線信号が検出されない場合に、第１のデバイスは、Ｗｉ−Ｆｉを無効化し、タイマを再起動する。
【００３４】
第１のデバイスが第２のデバイスの無線信号を検出しない場合に、第１のデバイスはＷｉ−Ｆｉを無効化し、スタンバイモードに戻り、タイマを再起動する。
【００３５】
本発明の実施形態に従うデバイス起動方法によれば、タイマのタイミングインターバルは予めセットされた閾値に等しく、第１のデバイスが第２のデバイスによって送信される無線信号を検出する場合に、第１のデバイスは、第２のデバイスにステーションモードへ切り替わるよう指示するために使用される第１のメッセージを第２のデバイスへ送信し、この場合に、第１のデバイスは起動され、すなわち、第１のデバイスはＡＰモードへ切り替わり、それにより第２のデバイスは第１のデバイスを開始するＷｉ−Ｆｉアクセスを実施することができる。第１のデバイスは、第２のデバイスの無線信号が検出される場合にＡＰモードへ切り替わる。これは、デバイス起動プロセスにおけるユーザ経験を改善する。加えて、第１のデバイスは、第２のデバイスの無線信号が検出されない場合にスタンバイモードに入る。これは、第１のデバイスの電力消費を効果的に削減し、且つ、バッテリのスタンバイ時間及び耐用期間を延ばす。
【００３６】
本発明の実施形態は、デバイスを起動する方法を提供する。この方法は、第１のデバイスに適用可能であり、第１のデバイスは、Ｗｉ−ＦｉＡＰモード及びＷｉ−ＦｉＳＴＡモードの両方をサポートするスマートフォンのようなデバイスであってよい。図２に示されるように、方法は、次のステップ２０１〜２０８を有する：
２０１．第１のデバイスは、第２のデバイスの起動情報を記憶する。
【００３７】
第１のデバイスは、第２のデバイスの起動情報を第１のデバイスにおいて予め記憶してよく、それにより、情報は、その後に起動が実施される場合に使用される。第２のデバイスの起動情報を予め記憶する方法は、次の通りであってよい：第２のデバイスが第１のデバイスを介したＷｉ−Ｆｉアクセスを実施する場合に、第２のデバイスは起動情報を第１のデバイスに登録する。あるいは、第２の起動情報は、第１のデバイスにおいて直接に構成されてもよい。本発明の実施形態は、起動情報を記憶する方法を制限しない。
【００３８】
任意に、第１のデバイスは、ローカルに、第１のデバイスを起動することができるデバイスのリストを保持してよい。第１のデバイスを起動することができるデバイスのリストにおいて記憶される起動情報に対応するデバイスは全て、第１のデバイスを起動することができる。
【００３９】
本発明の実施形態における起動情報は、第２のデバイスのＷｉ−Ｆｉネットワーク識別子を含み、暗号化モード（ciphering  mode）及び／又はパスワードを更に含んでよいことが留意されるべきである。
【００４０】
２０２．予めセットされた時間閾値内に第２のデバイスによってアクセスされない場合に、第１のデバイスはスタンバイモードに入り、タイマを起動する。
具体的に、第１のデバイスがＷｉ−ＦｉＳＴＡによってアクセスされない場合に使用可能な状態のままであるためにネットワークリソースが浪費されることを防ぐよう、第２のデバイスが予めセットされた時間閾値内に第１のデバイスにアクセスしない場合は、第１のデバイスは、Ｗｉ−Ｆｉ機能を無効化してスタンバイ状態に入り、同時にタイマＴ０を起動してよい。
【００４１】
２０３．タイマのタイミングインターバルが予めセットされた閾値と等しい場合に、第１のデバイスは、第２のデバイスが無線信号を送信するかどうかを起動情報に従って検出し、無線信号が検出される場合には、次のステップ２０４〜２０７を実行し、あるいは、無線信号が検出されない場合には、次のステップ２０８を実行する。
【００４２】
タイマＴ０が予めセットされた閾値と等しい場合に、第１のデバイスは、第２のデバイスが無線信号を送信するかどうかを起動情報に従って検出してよい。具体的に、デバイスが無線信号を送信しているかどうかを第１のデバイスが走査する場合に、第１のデバイスは複数の無線信号を検出することが可能である。この場合に、第１のデバイスは、それぞれの無線信号に対応するデバイスが第１のデバイスを起動することができるかどうかを、予め記憶されている起動情報に従って決定してよい。第２のデバイスが第１のデバイスを起動する必要がある場合に、第２のデバイスは、第１のデバイスに予め登録されている起動情報を用いることによってＡＰモードへ切り替わり、無線信号を送信してよい。この場合に、タイマＴ０が予めセットされた閾値と等しい場合は、第１のデバイスは無線信号を検出してよい。第１のデバイスが第２のデバイスを介したＷｉ−Ｆｉアクセスを実施することを確かにするよう、第２のデバイスは、Ｔ２＝Ｔ０＋２×Ｔ１の存続期間中、ＡＰモードにある。Ｔ１は、第１のデバイスのための検出及びアクセスの試みの存続期間である。
【００４３】
任意に、第１のデバイスが、第１のデバイスを起動することができるデバイスのリストを保持する場合に、第１のデバイスは、第１のデバイスを起動することができるデバイスのリストにある第２のデバイスが無線信号を送信するかどうかを走査してよい。
【００４４】
２０４．第１のデバイスはＳＴＡモードへ切り替わる。
【００４５】
第１のデバイスは、第２のデバイスとの通信の準備をするようＳＴＡモードへ切り替わる。
【００４６】
第１のデバイスは、タイマのタイミングインターバルが予めセットされた閾値と等しい場合にＳＴＡモードへ切り替わってよく、あるいは、無線信号を検出する場合にＳＴＡモードへ切り替わってよい点に留意すべきである。第１のデバイスがＳＴＡモードへ切り替わる時点は、本発明の実施形態によって制限されない。
【００４７】
２０５．第１のデバイスは、第２のデバイスを介したＷｉ−Ｆｉアクセスを実施する。
【００４８】
第１のデバイスが無線信号を検出する場合に、第１のデバイスはＳＴＡモードへ切り替わってよい。この場合に、第１のデバイスは、第２のデバイスと通信するよう第２のデバイスを介したＷｉ−Ｆｉアクセスを実施してよい。
【００４９】
２０６．第１のデバイスは、第１のメッセージを第２のデバイスへ送信し、それにより、第２のデバイスは、第１のメッセージを受信した後にＳＴＡへ切り替わる。
【００５０】
第１のデバイスが第２のデバイスを介したＷｉ−Ｆｉアクセスを実施する場合に、第１のデバイスは、第１のメッセージを第２のデバイスへ送信してよい。第１のメッセージは、第１のデバイス起動に成功したことを第２のデバイスに知らせるために使用される。第１のメッセージは更に、スイッチング時間を搬送し、第１のデバイスがスイッチング時間後に起動されることを第２のデバイスに知らせる。すなわち、第１のデバイスは、スイッチング時間後にＡＰモードへ切り替わる。第２のデバイスは、第１のデバイスを介したＷｉ−Ｆｉアクセスを実施するよう、第１のメッセージを受信した後、スイッチング時間内にＳＴＡモードへ切り替わってよい。
【００５１】
任意に、スイッチング時間はまた、第２のデバイスにおいてプリセットされてよい。すなわち、第２のデバイスが第１のメッセージを受信した後、第２のデバイスは、予めセットされたスイッチング時間に従って、第２のデバイスが第１のメッセージを受信しスイッチング時間待機した後に第１のデバイスが起動に成功すると分かる。
【００５２】
２０７．第１のデバイスはＡＰモードへ切り替わり、それにより第２のデバイスは、第１のデバイスを介したＷｉ−Ｆｉアクセスを実施する。
【００５３】
第１のデバイスは、第１のメッセージを第２のデバイスへ送信した後にＡＰモードへ切り替わってよく、それにより第２のデバイスは、第１のデバイスを介したＷｉ−Ｆｉアクセスを実施する。
【００５４】
２０８．第１のデバイスはＷｉ−Ｆｉを無効化し、タイマを再起動する。
【００５５】
第１のデバイスが第２のデバイスの無線信号を検出しない場合に、第１のデバイスはＷｉ−Ｆｉを無効化し、タイマを再起動する。
【００５６】
本発明の実施形態に従うデバイス起動方法によれば、タイマのタイミングインターバルは予めセットされた閾値に等しく、第１のデバイスが第２のデバイスによって送信される無線信号を検出する場合に、第１のデバイスは、第２のデバイスにステーションモードへ切り替わるよう指示するために使用される第１のメッセージを第２のデバイスへ送信し、この場合に、第１のデバイスは起動され、すなわち、第１のデバイスはＡＰモードへ切り替わり、それにより第２のデバイスは第１のデバイスを開始するＷｉ−Ｆｉアクセスを実施することができる。第１のデバイスは、第２のデバイスの無線信号が検出される場合にＡＰモードへ切り替わる。これは、デバイス起動プロセスにおけるユーザ経験を改善する。加えて、第１のデバイスは、第２のデバイスの無線信号が検出されない場合にスタンバイモードに入る。これは、第１のデバイスの電力消費を効果的に削減し、且つ、バッテリのスタンバイ時間及び耐用期間を延ばす。
【００５７】
本発明の実施形態は、デバイスを起動する方法を提供する。この方法は第１のデバイスへ適用可能であり、第１のデバイスは、Ｗｉ−ＦｉＡＰモードをサポートするデバイスであってよい。図３に示されるように、方法は、次のステップ３０１〜３０５を有する：
３０１．タイマのタイミングインターバルが予めセットされた閾値と等しい場合に、第１のデバイスはＡＰモードに入る。
【００５８】
第１のデバイスは、一定時間内に第１のデバイスにアクセスする第２のデバイスがない場合にスタンバイモードに入り、同時にタイマＴ０を起動し、タイマＴ０が予めセットされた閾値と等しい場合に、動作状態へ切り替わる、すなわち、ＡＰモードに入る。
【００５９】
３０２．第１のデバイスは、第２のデバイスによって送信された起動パスワードが受信されるかどうかを検出し、起動パスワードが検出される場合には、次のステップ３０３及び３０４を実行し、あるいは、起動パスワードが検出されない場合には、次のステップ３０５を実行する。
【００６０】
第２のデバイスが第１のデバイスを介したＷｉ−Ｆｉアクセスを実施する必要がある場合に、第２のデバイスはＡＰモードへ切り替わってよい。この場合に、第２のデバイスは、時間インターバルで起動パスワードを送信する。第１のデバイスは、第２のデバイスによって送信された起動パスワードが受信されるかどうかを検出してよい。第１のデバイスが第２のデバイスによって送信された起動パスワードを受信することができることを確かにするよう、第２のデバイスが起動パスワードを送信する時間インターバルＴ２は、第１のデバイスが起動パスワードを受信するよう試みる時間Ｔ１よりも小さい必要がある。
【００６１】
任意に、第２のデバイスはまた、起動パスワードを第１のデバイスへ直接に送信してよい。
【００６２】
起動パスワードのフォーマット及び内容は、第１のデバイス及び第２のデバイスによって予め同意されている点が留意されるべきである。加えて、第２のデバイスによる起動パスワードの送信は、ビーコンフレームと同様のシグナリングフォーマットにおけるようにＷｉ−Ｆｉシグナリングを付加することによって、又は既存のシグナリングを拡張することによって、例えば、ベンダー（カスタマイズされたフィールド）をプローブｒｅｑ（プローブ要求）フレーム及びプローブｒｓｐ（プローブ応答）フレームに付加することによって、実施されてよい。本発明の実施形態は、起動パスワードのフォーマット及び内容並びに送信モードを制限しない。
【００６３】
３０３．第１のデバイスは、起動パスワードに対応する第２のデバイスが、第１のデバイスを起動することができるデバイスのリストにおいて存在するかどうかを検出する。
【００６４】
起動パスワードを受信した後、第１のデバイスは、起動パスワードに対応する第２のデバイスが、第１のデバイスを起動することができるデバイスのリストにおいて存在するかどうかを検出してよい。第１のデバイスを起動することができるデバイスのリストは、第２のデバイスの情報と、第２のデバイスが第１のデバイスを起動するために必要とされる起動パスワードとを記憶してよい。第２のデバイスの情報及び起動パスワードは、第２のデバイスが第１のデバイスを介したＷｉ−Ｆｉアクセスを実施する場合に第１のデバイスによって、第１のデバイスを起動することができるデバイスのリストに付加され記憶されてよく、あるいは、第１のデバイスの、第１のデバイスを起動することができるデバイスのリストにおいてプリセットされてもよい。本発明の実施形態は、第２のデバイスの情報及び起動パスワードを記憶するプロセスを制限しない。
【００６５】
３０４．起動パスワードに対応する第２のデバイスが、第１のデバイスを起動することができるデバイスのリストにおいて存在する場合は、第１のデバイスは、第１のメッセージを第２のデバイスへ送信し、それにより、第２のデバイスは、第１のデバイスを介したＷｉ−Ｆｉアクセスを実施するように、第１のメッセージを受信した後にＳＴＡモードへ切り替わる。
【００６６】
起動パスワードに対応する第２のデバイスが、第１のデバイスを起動することができるデバイスのリストにおいて存在する場合に、第１のデバイスは、第１のデバイスが起動に成功したことを第２のデバイスに知らせるよう第１のメッセージを第２のデバイスを送信してよい。第１のメッセージは、ブロードキャスト様式において送信されてよく、あるいは、第１のデバイスによって第２のデバイスへ直接に送信されてもよい。第２のデバイスは、第１のメッセージを受信した後にＳＴＡモードへ切り替わり、それにより第２のデバイスは、第１のデバイスを介したＷｉ−Ｆｉアクセスを実施する。次いで、起動プロセス全体は終了される。
【００６７】
３０５．第１のデバイスは、Ｗｉ−Ｆｉアクセスを無効化し、タイマを再起動する。
【００６８】
起動パスワードが検出されない場合に、Ｗｉ−Ｆｉは無効にされてよく、タイマは再起動されてよい。
【００６９】
本発明の実施形態に従うデバイス起動方法によれば、タイマのタイミングインターバルは予めセットされた閾値に等しい場合に、第１のデバイスはＡＰモードに入り、第１のデバイスが第２のデバイスによって送信された起動パスワードを検出する場合に、第１のデバイスは第１のメッセージを第２のデバイスへ送信して、第１のデバイスが起動されることを第２のデバイスに知らせ、この場合に、第２のデバイスは、第１のデバイスによって送信された第１のメッセージを受信した後にＳＴＡモードへ切り替わり、それにより第２のデバイスは第１のデバイスを介したＷｉ−Ｆｉアクセスを実施することができる。第２のデバイスの起動パスワードが検出される場合に、第１のデバイスは、第１のデバイスが起動されることを第２のデバイスに知らせるが、これは、デバイス起動プロセスにおけるユーザ経験を改善する。加えて、第２のデバイスの起動パスワードが検出されない場合に、第１のデバイスはスタンバイモードに入るが、これは、第１のデバイスの電力消費を効果的に削減し、且つ、バッテリのスタンバイ時間及び耐用期間を延ばす。
【００７０】
本発明の実施形態は、デバイスを起動する方法を提供する。図４に示されるように、方法は、次のステップ４０１〜４０４を有する：
４０１．第１のデバイスは、通信技術を用いることによって第２のデバイスによって送信された起動パスワードを受信する。
【００７１】
第１のデバイスは、一定時間内に第１のデバイスにアクセスする第２のデバイスがない場合に、Ｗｉ−Ｆｉを無効化し、スタンバイモードに入ってよい。第２のデバイスが第１のデバイスを介したＷｉ−Ｆｉアクセスを実施する必要がある場合に、第２のデバイスは、通信技術を用いることによって第１のデバイスへ起動パスワードを送信してよい。通信技術は、ショートメッセージサービス、ボイスデータ呼出、ブルートゥース、等であってよい。
【００７２】
起動パスワードのフォーマット及び内容は、第１のデバイス及び第２のデバイスによって予め同意されている点が留意されるべきである。本発明の実施形態は、起動パスワードのフォーマット及び内容を制限しない。
【００７３】
４０２．第１のデバイスは、起動パスワードに対応する第２のデバイスが、第１のデバイスを起動することができるデバイスの予め記憶されたリストにおいて存在するかどうかを検出する。
【００７４】
第１のデバイスが第２のデバイスによって送信された起動パスワードを受信する場合に、第１のデバイスは、起動パスワードに対応する第２のデバイスが、第１のデバイスを起動することができるデバイスのリストにおいて存在するかどうかを検出してよい。第１のデバイスを起動することができるデバイスのリストは、第２のデバイスの情報と、第２のデバイスが第１のデバイスを起動するために必要とされる起動パスワードとを記憶してよい。第２のデバイスの情報及び起動パスワードは、第２のデバイスが第１のデバイスを介したＷｉ−Ｆｉアクセスを実施する場合に第１のデバイスによって、第１のデバイスを起動することができるデバイスのリストに付加され記憶されてよく、あるいは、第１のデバイスの、第１のデバイスを起動することができるデバイスのリストにおいてプリセットされてもよい。本発明の実施形態は、第２のデバイスの情報及び起動パスワードを記憶するプロセスを制限しない。
【００７５】
４０３．起動パスワードに対応する第２のデバイスが、第１のデバイスを起動することができるデバイスのリストにおいて存在する場合に、第１のデバイスは、第１のメッセージを前記第２のデバイスへ送信する。
【００７６】
起動パスワードに対応する第２のデバイスが、第１のデバイスを起動することができるデバイスのリストにおいて存在することを検出する場合に、第１のデバイスは、第１のデバイスが起動に成功したことを第２のデバイスに知らせるよう第１のメッセージを第２のデバイスへ送信してよい。第１のメッセージはスイッチング時間を更に含んでよく、第１のデバイスがスイッチング時間後にＡＰモードへ切り替わることを第２のデバイスに知らせるために使用される。スイッチング時間はまた、第２のデバイスにおいてプリセットされてもよい。
【００７７】
４０４．第１のデバイスはＡＰモードへ切り替わり、それにより第２のデバイスは、第１のデバイスを介するＷｉ−Ｆｉアクセスを実施する。
【００７８】
第１のデバイスはＡＰモードへ切り替わってよく、それにより第２のデバイスは、第１のデバイスを介したＷｉ−Ｆｉアクセスを実施する。
【００７９】
本発明の実施形態に従うデバイス起動方法によれば、第１のデバイスが、通信技術を用いることによって第２のデバイスによって送信された起動パスワードを受信する場合に、第１のデバイスは、第２のデバイスにＳＴＡモードに切り替わるよう指示するために使用される第１のメッセージを第２のデバイスへ送信し、自身をＡＰモードへ切り替え、それにより第２のデバイスは、第１のデバイスを介したＷｉ−Ｆｉアクセスを実施する。これは、デバイス起動プロセスにおけるユーザ経験を改善する。
【００８０】
本発明の実施形態は、デバイスを起動する装置を提供する。図５に示されるように、装置は、検出ユニット５１と、送信ユニット５２と、切り替えユニット５３と、処理ユニット５４とを有する。
【００８１】
Ｗｉ−Ｆｉをサポートするデバイスは、Ｗｉ−Ｆｉチップを有し、Ｗｉ−Ｆｉチップは、無線周波数回路を用いることによってアンテナへ接続され、Ｗｉ−Ｆｉ信号を送信及び受信するよう構成される。加えて、デバイスは、アプリケーション（ＡＰＰ）チップを有し、ＡＰＰチップは、Ｗｉ−Ｆｉ制御モジュールのプロセッサを実行するよう構成される。Ｗｉ−Ｆｉ制御モジュールは、Ｗｉ−Ｆｉチップを制御するよう構成される。それにより、ＡＰＰチップは、Ｗｉ−Ｆｉ制御モジュールを用いることによって、ＳＴＡモードへ切り替わるか又はＡＰモードへ切り替わるようＷｉ−Ｆｉチップを制御してよい。
【００８２】
検出ユニット５１は、タイマのタイミングインターバルが予めセットされた閾値と等しい場合に、第２のデバイスが無線信号を送信するかどうかを検出するよう構成される。このとき、第１のデバイスは、第２のデバイスによって起動されるデバイスである。
【００８３】
送信ユニット５２は、検出ユニット５１が無線信号を検出する場合に、第１のメッセージを第２のデバイスへ送信するよう構成され、それにより第２のデバイスは、第１のメッセージを受信した後にステーションＳＴＡモードへ切り替わる。第１のメッセージは、第１のデバイスが起動に成功したことを第２のデバイスに知らせるために使用される。
【００８４】
切り替えユニット５３は、アクセスポイントモードＡＰモードへ切り替えるよう構成される。それにより第２のデバイスは、第１のデバイスを介したＷｉ−Ｆｉアクセスを実施する。
【００８５】
処理ユニット５４は、検出ユニット５１が無線信号を検出しない場合にＷｉ−Ｆｉを無効化し、タイマを再起動するよう構成される。
【００８６】
更に、図６に示されるように、送信ユニット５２は、切り替えモジュール５２１と、アクセスモジュール５２２と、送信モジュール５２３とを有してよい。
【００８７】
切り替えモジュール５２１は、検出ユニット５１が無線信号を検出する場合にＳＴＡモードへ切り替えるよう構成される。
【００８８】
アクセスモジュール５２２は、第２のデバイスを介したＷｉ−Ｆｉアクセスを実施するよう構成される。
【００８９】
送信モジュール５２３は、スイッチング時間を搬送して第２のデバイスにスイッチング時間内にＳＴＡモードへ切り替わるよう指示する第１のメッセージを第２のデバイスへ送信するよう構成される。
【００９０】
更に、装置は、記憶ユニット５５を有してよい。
【００９１】
記憶ユニット５５は、タイマのタイミングインターバルが予めセットされた閾値と等しい場合に第２のデバイスが無線信号を送信するかどうか検出ユニット５１が検出する前に、第２のデバイスの起動情報を記憶するよう構成される。起動情報は、少なくともＷｉ−Ｆｉネットワーク識別子を含む。
【００９２】
検出ユニット５１は、検出モジュール５１１を有してよい。
【００９３】
検出モジュール５１１は、第２のデバイスが無線信号を送信するかどうかを、記憶ユニット５５によって記憶されている起動情報に従って検出するよう構成される。
【００９４】
本発明の実施形態に従うデバイス起動装置によれば、タイマのタイミングインターバルは予めセットされた閾値に等しく、第１のデバイスが第２のデバイスによって送信される無線信号を検出する場合に、第１のデバイスは、第２のデバイスにステーションモードへ切り替わるよう指示するために使用される第１のメッセージを第２のデバイスへ送信し、この場合に、第１のデバイスは起動され、すなわち、第１のデバイスはＡＰモードへ切り替わり、それにより第２のデバイスは第１のデバイスを開始するＷｉ−Ｆｉアクセスを実施することができる。第１のデバイスは、第２のデバイスの無線信号が検出される場合にＡＰモードへ切り替わる。これは、デバイス起動プロセスにおけるユーザ経験を改善する。加えて、第１のデバイスは、第２のデバイスの無線信号が検出されない場合にスタンバイモードに入る。これは、第１のデバイスの電力消費を効果的に削減し、且つ、バッテリのスタンバイ時間及び耐用期間を延ばす。
【００９５】
本発明の実施形態は、デバイスを起動する装置を提供する。図７に示されるように、装置は、入場ユニット６１と、検出ユニット６２と、送信ユニット６３と、処理ユニット６４とを有する。
【００９６】
Ｗｉ−Ｆｉをサポートするデバイスは、Ｗｉ−Ｆｉチップを有し、Ｗｉ−Ｆｉチップは、無線周波数回路を用いることによってアンテナへ接続され、Ｗｉ−Ｆｉ信号を送信及び受信するよう構成される。加えて、デバイスは、アプリケーション（ＡＰＰ）チップを有し、ＡＰＰチップは、Ｗｉ−Ｆｉ制御モジュールのプロセッサを実行するよう構成される。Ｗｉ−Ｆｉ制御モジュールは、Ｗｉ−Ｆｉチップを制御するよう構成される。それにより、ＡＰＰチップは、Ｗｉ−Ｆｉ制御モジュールを用いることによって、ＳＴＡモードへ切り替わるか又はＡＰモードへ切り替わるようＷｉ−Ｆｉチップを制御してよい。
【００９７】
入場ユニット６１は、タイマのタイミングインターバルが予めセットされた閾値と等しい場合にＡＰモードに入るよう構成される。このとき、第１のデバイスは、第２のデバイスによって起動されるデバイスである。
【００９８】
検出ユニット６２は、第２のデバイスによって送信された起動パスワードが受信されるかどうかを検出するよう構成される。
【００９９】
送信ユニット６３は、検出ユニット６２が起動パスワードを検出する場合に第１のメッセージを第２のデバイスへ送信するよう構成され、それにより第２のデバイスは、第１のメッセージを受信した後にＳＴＡモードへ切り替わり、第２のデバイスは、第１のデバイスを介したＷｉ−Ｆｉアクセスを実施する。第１のメッセージは、第１のメッセージが起動に成功したことを第２のデバイスに知らせるために使用される。
【０１００】
処理ユニット６４は、検出ユニット６２が起動パスワードを検出しない場合にＷｉ−Ｆｉを無効化し、タイマを再起動するよう構成される。
【０１０１】
更に、図８に示されるように、送信ユニット６３は、検出モジュール６３１と、送信モジュール６３２とを有してよい。
【０１０２】
検出モジュール６３１は、検出ユニット６２が起動パスワードを検出する場合に、その起動パスワードに対応する第２のデバイスが、第１のデバイスを起動することができるデバイスの予め記憶されたリストにおいて存在するかどうかを検出するよう構成される。
【０１０３】
送信モジュール６３２は、起動パスワードに対応する第２のデバイスが、第１のデバイスを起動することができるデバイスの予め記憶されたリストにおいて存在することを検出モジュール６３１が検出する場合に、第１のメッセージを第２のデバイスへ送信するよう構成される。
【０１０４】
本発明の実施形態に従うデバイス起動装置によれば、タイマのタイミングインターバルは予めセットされた閾値に等しい場合に、第１のデバイスはＡＰモードに入り、第１のデバイスが第２のデバイスによって送信された起動パスワードを検出する場合に、第１のデバイスは第１のメッセージを第２のデバイスへ送信して、第１のデバイスが起動されることを第２のデバイスに知らせ、この場合に、第２のデバイスは、第１のデバイスによって送信された起動完了メッセージを受信した後にＳＴＡモードへ切り替わり、それにより第２のデバイスは第１のデバイスを介したＷｉ−Ｆｉアクセスを実施することができる。第２のデバイスの起動パスワードが検出される場合に、第１のデバイスは、第１のデバイスが起動されることを第２のデバイスに知らせるが、これは、デバイス起動プロセスにおけるユーザ経験を改善する。加えて、第２のデバイスの起動パスワードが検出されない場合に、第１のデバイスはスタンバイモードに入るが、これは、第１のデバイスの電力消費を効果的に削減し、且つ、バッテリのスタンバイ時間及び耐用期間を延ばす。
【０１０５】
本発明の実施形態は、デバイスを起動する装置を提供する。図９に示されるように、装置は、受信ユニット７１と、送信ユニット７２と、切り替えユニット７３とを有する。
【０１０６】
Ｗｉ−Ｆｉをサポートするデバイスは、Ｗｉ−Ｆｉチップを有し、Ｗｉ−Ｆｉチップは、無線周波数回路を用いることによってアンテナへ接続され、Ｗｉ−Ｆｉ信号を送信及び受信するよう構成される。加えて、デバイスは、アプリケーション（ＡＰＰ）チップを有し、ＡＰＰチップは、Ｗｉ−Ｆｉ制御モジュールのプロセッサを実行するよう構成される。Ｗｉ−Ｆｉ制御モジュールは、Ｗｉ−Ｆｉチップを制御するよう構成される。それにより、ＡＰＰチップは、Ｗｉ−Ｆｉ制御モジュールを用いることによって、ＳＴＡモードへ切り替わるか又はＡＰモードへ切り替わるようＷｉ−Ｆｉチップを制御してよい。
【０１０７】
受信ユニット７１は、通信技術を用いることによって第２のデバイスによって送信された起動パスワードを受信するよう構成される。このとき、第１のデバイスは、第２のデバイスによって起動されるデバイスである。
【０１０８】
送信ユニット７２は、第１のデバイスが起動に成功したことを第２のデバイスに知らせるために使用される第１のメッセージを第２のデバイスへ送信するよう構成され、それにより第２のデバイスは、第１のメッセージを受信した後にＳＴＡモードへ切り替わる。
【０１０９】
切り替えユニット７３は、ＡＰモードへ切り替えるよう構成され、それにより第２のデバイスは、第１のデバイスを介したＷｉ−Ｆｉアクセスを実施する。
【０１１０】
更に、図１０に示されるように、装置は、検出ユニット７４を有してよい。
【０１１１】
検出ユニット７４は、受信ユニット７１が、通信技術を用いることによって第２のデバイスによって送信された起動パスワードを受信した後に、その起動パスワードに対応する第２のデバイスが、第１のデバイスを起動することができるデバイスの予め記憶されたリストにおいて存在するかどうかを検出するよう構成される。
【０１１２】
更に、送信ユニット７２は、送信モジュール７２１を有してよい。
【０１１３】
送信モジュール７２１は、起動パスワードに対応する第２のデバイスが、第１のデバイスを起動することができるデバイスの予め記憶されたリストにおいて存在することを検出モジュール７４が検出する場合に、第１のメッセージを第２のデバイスへ送信するよう構成される。
【０１１４】
本発明の実施形態に従うデバイス起動装置によれば、第１のデバイスが、通信技術を用いることによって第２のデバイスによって送信された起動パスワードを受信する場合に、第１のデバイスは、第２のデバイスにＳＴＡモードに切り替わるよう指示するために使用される第１のメッセージを第２のデバイスへ送信し、自身をＡＰモードへ切り替え、それにより第２のデバイスは、第１のデバイスを介したＷｉ−Ｆｉアクセスを実施する。これは、デバイス起動プロセスにおけるユーザ経験を改善し、第１のデバイスの電力消費を効果的に削減し、且つ、バッテリのスタンバイ時間及び耐用期間を延ばす。
【０１１５】
本発明の実施形態は、デバイスを起動する装置を提供する。図１１に示されるように、装置は、プロセッサ８１と、送信器８２とを有する。
【０１１６】
プロセッサ８１は、タイマのタイミングインターバルが予めセットされた閾値と等しい場合に、第２のデバイスが無線信号を送信するかどうかを検出するよう構成される。このとき、第１のデバイスは、第２のデバイスによって起動されるデバイスである。
【０１１７】
送信器８２は、プロセッサ８１が無線信号を検出する場合に、第１のメッセージを第２のデバイスへ送信するよう構成され、それにより第２のデバイスは、第１のメッセージを受信した後にステーションＳＴＡモードへ切り替わる。第１のメッセージは、第１のデバイスが起動に成功したことを第２のデバイスに知らせるために使用される。
【０１１８】
プロセッサ８１は更に、アクセスポイントＡＰモードへ切り替えるよう構成され、それにより第２のデバイスは、第１のデバイスを介したＷｉ−Ｆｉアクセスを実施する。
【０１１９】
プロセッサ８１は更に、無線信号が検出されない場合にＷｉ−Ｆｉを無効化し、タイマを再起動するよう構成される。
【０１２０】
更に、プロセッサ８１は、無線信号が検出される場合にＳＴＡモードへ切り替え、第２のデバイスを介したＷｉ−Ｆｉアクセスを実施するよう構成される。
【０１２１】
送信器８２は更に、スイッチング時間を搬送して第２のデバイスにスイッチング時間内にＳＴＡモードへ切り替わるよう指示する第１のメッセージを第２のデバイスへ送信するよう構成される。
【０１２２】
更に、装置は、メモリ８３を有する。
【０１２３】
メモリ８３は、タイマのタイミングインターバルが予めセットされた閾値と等しい場合に第２のデバイスが無線信号を送信するかどうかをプロセッサ８１が検出する前に、第２のデバイスの起動情報を記憶するよう構成される。起動情報は、少なくともＷｉ−Ｆｉネットワーク識別子を含む。
【０１２４】
プロセッサ８１は更に、第２のデバイスが無線信号を送信するかどうかを、メモリ８３によって記憶された起動情報に従って検出するよう構成される。
【０１２５】
本発明の実施形態に従うデバイス起動装置によれば、タイマのタイミングインターバルは予めセットされた閾値に等しく、第１のデバイスが第２のデバイスによって送信される無線信号を検出する場合に、第１のデバイスは、第２のデバイスにステーションモードへ切り替わるよう指示するために使用される第１のメッセージを第２のデバイスへ送信し、この場合に、第１のデバイスは起動され、すなわち、第１のデバイスはＡＰモードへ切り替わり、それにより第２のデバイスは第１のデバイスを開始するＷｉ−Ｆｉアクセスを実施することができる。第１のデバイスは、第２のデバイスの無線信号が検出される場合にＡＰモードへ切り替わる。これは、デバイス起動プロセスにおけるユーザ経験を改善する。加えて、第１のデバイスは、第２のデバイスの無線信号が検出されない場合にスタンバイモードに入る。これは、第１のデバイスの電力消費を効果的に削減し、且つ、バッテリのスタンバイ時間及び耐用期間を延ばす。
【０１２６】
本発明の実施形態は、デバイスを起動する装置を提供する。図１２に示されるように、装置は、プロセッサ９１と、送信器９２とを有する。
【０１２７】
プロセッサ９１は、タイマのタイミングインターバルが予めセットされた閾値と等しい場合にアクセスポイントＡＰモードへ切り替え、第２のデバイスによって送信された起動パスワードが受信されるかどうかを検出するよう構成される。このとき、第１のデバイスは、第２のデバイスによって起動されるデバイスである。
【０１２８】
送信器９２は、プロセッサ９１が起動パスワードを検出する場合に、第１のメッセージを第２のデバイスへ送信するよう構成され、それにより第２のデバイスは、第１のメッセージを受信した後にステーションＳＴＡモードへ切り替わり、第２のデバイスは、第１のデバイスを介したＷｉ−Ｆｉアクセスを実施する。第１のメッセージは、第１のデバイスが起動に成功したことを第２のデバイスに知らせるために使用される。
【０１２９】
プロセッサ９１は更に、起動パスワードが検出されない場合にＷｉ−Ｆｉを無効化し、タイマを再起動するよう構成される。
【０１３０】
更に、プロセッサ９１は、起動パスワードが検出される場合に、その起動パスワードに対応する第２のデバイスが、第１のデバイスを起動することができるデバイスの予め記憶されたリストにおいて存在するかどうかを検出するよう構成される。
【０１３１】
送信器９２は更に、起動パスワードに対応する第２のデバイスが、第１のデバイスを起動することができるデバイスのリストにおいて存在することが検出される場合に、第１のメッセージを第２のデバイスへ送信するよう構成される。
【０１３２】
本発明の実施形態に従うデバイス起動装置によれば、タイマのタイミングインターバルは予めセットされた閾値に等しい場合に、第１のデバイスはＡＰモードに入り、第１のデバイスが第２のデバイスによって送信された起動パスワードを検出する場合に、第１のデバイスは第１のメッセージを第２のデバイスへ送信して、第１のデバイスが起動されることを第２のデバイスに知らせ、この場合に、第２のデバイスは、第１のデバイスによって送信された起動完了メッセージを受信した後にＳＴＡモードへ切り替わり、それにより第２のデバイスは第１のデバイスを介したＷｉ−Ｆｉアクセスを実施することができる。第２のデバイスの起動パスワードが検出される場合に、第１のデバイスは、第１のデバイスが起動されることを第２のデバイスに知らせるが、これは、デバイス起動プロセスにおけるユーザ経験を改善する。加えて、第２のデバイスの起動パスワードが検出されない場合に、第１のデバイスはスタンバイモードに入るが、これは、第１のデバイスの電力消費を効果的に削減し、且つ、バッテリのスタンバイ時間及び耐用期間を延ばす。
【０１３３】
本発明の実施形態は、デバイスを起動する装置を提供する。図１３に示されるように、装置は、受信器１００１と、送信器１００２と、プロセッサ１００３とを有する。
【０１３４】
受信器１００１は、通信技術を用いることによって第２のデバイスによって送信された起動パスワードを受信するよう構成される。このとき、第１のデバイスは、第２のデバイスによって起動されるデバイスである。
【０１３５】
送信器１００２は、第１のデバイスが起動に成功したことを第２のデバイスに知らせるために使用される第１のメッセージを第２のデバイスへ送信するよう構成され、それにより第２のデバイスは、第１のメッセージを受信した後にステーションＳＴＡモードへ切り替わる。
【０１３６】
プロセッサ１００３は、アクセスポイントＡＰモードへ切り替えるよう構成され、それにより第２のデバイスは、第１のデバイスを介したＷｉ−Ｆｉアクセスを実施する。
【０１３７】
更に、プロセッサ１００３は、受信器１００１が通信技術を用いることによって第２のデバイスによって送信された起動パスワードを受信した後に、その起動パスワードに対応する第２のデバイスが、第１のデバイスを起動することができるデバイスの予め記憶されたリストにおいて存在するかどうかを検出するよう構成される。
【０１３８】
更に、送信器１００２は、起動パスワードに対応する第２のデバイスが、第１のデバイスを起動することができるデバイスのリストにおいて存在することをプロセッサ１００３が検出する場合に、第１のメッセージを第２のデバイスへ送信するよう構成される。
【０１３９】
本発明の実施形態に従うデバイス起動装置によれば、第１のデバイスが、通信技術を用いることによって第２のデバイスによって送信された起動パスワードを受信する場合に、第１のデバイスは、第２のデバイスにＳＴＡモードに切り替わるよう指示するために使用される第１のメッセージを第２のデバイスへ送信し、自身をＡＰモードへ切り替え、それにより第２のデバイスは、第１のデバイスを介したＷｉ−Ｆｉアクセスを実施する。これは、デバイス起動プロセスにおけるユーザ経験を改善し、第１のデバイスの電力消費を効果的に削減し、且つ、バッテリのスタンバイ時間及び耐用期間を延ばす。
【０１４０】
実施形態の上記の記載によれば、本発明が、必須の汎用ハードウェアに加えてソフトウェアによって実施されてよく、例外なくハードウェアによっても実施されてよいが、多くの場合に、ソフトウェアによる実施が好ましいことは、当業者に明らかである。そのような理解に基づき、本質的には本発明の技術的解決法、又は先行技術に属する部分は、ソフトウェア製品の形で実施されてよい。コンピュータソフトウェア製品は、例えば、コンピュータにおけるフロッピー（登録商標）ディスク、ハードディスク、又は光ディスクのような可読記憶媒体において記憶され、コンピュータデバイス（パーソナルコンピュータ、サーバ、ネットワークデバイス、等であってよい。）に本発明の実施形態において記載される方法を実行するよう指示する複数の命令を含む。
【０１４１】
上記の記載は、単に本発明の実施例であり、本発明の保護範囲を制限するよう意図されない。本発明において開示される技術的範囲内で当業者によって容易に考え出される如何なる変形又は置換も、本発明の保護範囲内にあるべきである。従って、本発明の保護範囲は、特許請求の範囲の技術的範囲に従うべきである。
【０１４２】
［関連出願の相互参照］
本願は、２０１３年２月４日付けで中国特許庁に出願された中国特許出願第２０１３１００４２７０４．０号に基づく優先権を主張するものである。なお、当該中国特許出願は、その全文を参照により本願に援用される。
【図１】
0005973594.tif 000002
【図２】
0005973594.tif 000003
【図３】
0005973594.tif 000004
【図４】
0005973594.tif 000005
【図５】
0005973594.tif 000006
【図６】
0005973594.tif 000007
【図７】
0005973594.tif 000008
【図８】
0005973594.tif 000009
【図９】
0005973594.tif 000010
【図１０】
0005973594.tif 000011
【図１１】
0005973594.tif 000012
【図１２】
0005973594.tif 000013
【図１３】
0005973594.tif 000014